(57)【特許請求の範囲】
【請求項１】
磁気特性測定器の複数の本体側コネクタに対して被測定物を取り付けることができる測定台の対応台側コネクタを直接に接続することにより、磁気特性測定器から電源電圧を測定台に供給すると共に測定台の測定出力を磁気特性測定器に与えて測定を行う電子測定器において、本体側コネクタを貫通状態におくことができる余裕のあるコネクタ窓を、前記本体側コネクタが配列される磁気特性測定器の正面パネルに形成し、前記本体側コネクタを固定する複数のサブパネルを前記正面パネルの平面と略平行な面内で自由に動けるように支持し、前記本体側コネクタの内端部を包囲するシールドケースを前記サブパネルに固定し、前記本体シャーシまたはシールドケースから切り起こされてシールドケースまたは本体シャーシに弾力的に当接されるすくなくともひとつの弾性爪により複数の前記サブパネルを磁気特性測定器の本体シャーシにそれぞれアースしたことを特徴とする電子測定器の筐体間接続構造。
【発明の詳細な説明】
【０００１】
【発明の属する技術分野】
本発明は電子測定器に関し、特に電子測定器のアダプタとして用意される測定台と測定器本体との間の接続構造に関する。
【０００２】
【背景技術】
周知のように、電子測定器による測定に際しては、測定器本体に用意されるコネクタにプローブに結合されたシールド線を電気的に結合して測定を行うが、電気量などの厳密な測定、例えばメモりの磁気特性を図る磁気特性測定器においては、用いるシールド線の容量や磁気特性が測定結果に大きな影響を与える。
【０００３】
このため、従来では、浮遊容量や周囲磁気による悪影響を防止した図３及び図４に示す磁気特性測定器が提案されている。即ち、この磁気特性測定器は、測定回路、表示器、定電圧電源を内蔵する測定器本体Ａに対してクランプねじＢで固定する測定台Ｃを備え、この測定台Ｃの表面にはメモリコアなどの被測定物を載置できる。
【０００４】
そして、アダプタ形式の同測定台Ｃの内部には減圧トランスやオペアンプなどの周辺回路が内蔵され、これらの減圧トランスやオペアンプに対しては、測定器本体Ａの正面パネルＤに配列される複数の本体側コネクタＥに直接に結合される台側コネクタＦを介して必要な電源電圧や信号が直接に供給される。
【０００５】
したがって、図３及び図４に示すような筐体間接続構造では、外部磁界などの影響を受けるおそれのある回路素子類は、シールドされた測定器本体Ａの筐体ａ及び測定台Ｃのシールドケースｃ中に収められ、これらの筐体ａ及び測定台Ｃの間がＢＮＣ栓などで構成される多数の本体側コネクタＥで電気的に結合されるから、外部磁界などの影響による測定誤差を排除できる。
【０００６】
【発明が解決しようとする課題】
しかしながら、この筐体間接続構造では、信号などの入出力のために多数の本体側コネクタＥ及び台側コネクタＦが測定器本体Ａ及び測定台Ｃに配置されるから、これらの本体側コネクタＥ及び台側コネクタＦの配列ピッチや関係位置は厳密でなければならない。つまり、これらの本体側コネクタＥ及び台側コネクタＥ及び台側コネクタＦの配列ピッチや関係位置に“クルイ”が生じると、これらの間に接触不良が生じるばかりでなく、著しい場合には、測定器本体Ａに対する測定台Ｃの取り付け自体が困難になる。
本発明の目的は、以上に述べたような従来の電子測定器の筐体間接続構造の問題に鑑み、測定器本体と測定台の接続部を外部磁界などから完全に遮蔽でき、複数の本体側コネクタとこれらに対応する台側コネクタの間に多少の位置誤差や配列ピッチ誤差があっても、確実にこれらを接続できる電子測定器の筐体間接続構造を得るにある。
【０００７】
【課題を解決するための手段】
この目的を達成するため、本発明は、磁気特性測定器の複数の本体側コネクタに対して被測定物を取り付けることができる測定台の対応台側コネクタを直接に接続することにより、磁気特性測定器から電源電圧を測定台に供給すると共に測定台の測定出力を磁気特性測定器に与えて測定を行う電子測定器において、本体側コネクタを貫通状態におくことができる余裕のあるコネクタ窓を、前記本体側コネクタが配列される磁気特性測定器の正面パネルに形成し、前記本体側コネクタを固定する複数のサブパネルを前記正面パネルの平面と略平行な面内で自由に動けるように支持し、前記本体側コネクタの内端部を包囲するシールドケースを前記サブパネルに固定し、前記本体シャーシまたはシールドケースから切り起こされてシールドケースまたは本体シャーシに弾力的に当接されるすくなくともひとつの弾性爪により複数の前記サブパネルを磁気特性測定器の本体シャーシにそれぞれアースした電子測定器の筐体間接続構造を提案するものである。
【０００８】
したがって、本発明によれば、測定器本体と測定台の接続部を外部磁界などから完全に遮蔽でき、複数の本体側コネクタとこれらに対応する台側コネクタの間に多少の位置誤差や配列ピッチ誤差があっても、確実にこれらを接続できる実用性の高い構造を得ることができる。
【０００９】
【発明の実施の形態】
以下、図１及び図２について本発明の実施例の詳細を説明する。
図１及び図２に示す電子測定器は、測定回路、表示器、定電圧電源を内蔵する測定器本体１０及びこの測定器本体１０に対してクランプねじ（図示せず）で固定される測定台２０からなる磁気特性測定器であり、同測定台２０の表面にはメモリコアなどの被測定物を載置できる。
【００１０】
即ち、アダプタ形式の同測定台２０の内部には減圧トランスやオペアンプなどの周辺回路が内蔵され、これらの減圧トランスやオペアンプに対しては、測定器本体１０の正面パネル１１に設けられる複数の本体側コネクタ１２Ａ，１２Ｂ，１２Ｃ，１２Ｄに直接に結合される台側コネクタ２１Ａ，２１Ｂ，２１Ｃ，２１Ｄを介して必要な電源電圧や信号が直接に供給される点でも従来と同様である。
【００１１】
図示実施例の特徴は、用いられる４個の本体側コネクタ１２Ａ，１２Ｂ，１２Ｃ，１２Ｄを、一対の信号系と一対の電源系統に分け、これらの信号系本体側コネクタ１２Ａ，１２Ｂをサブパネル３１Ａに、また、電源系統本体側コネクタ１２Ｃ，１２Ｄを別のサブパネル３１Ｂに組み付け、正面パネル１１に対して平行な面内で自由に位置調整できるように、これらのサブパネル３１Ａ，３１Ｂを正面パネル１１に保持させた点にある。
【００１２】
つまり、正面パネル１１の表面には本体側コネクタ１２Ａ，１２Ｂ，１２Ｃ，１２Ｄの外径Ｄ1よりも充分に大きな口径Ｄ2のコネクタ窓１３が形成され、同正面パネル１１の裏面には各サブパネル３１Ａ，３１Ｂの厚みＬ1よりも充分に厚い厚みＬ2の間隔板１４が積層してある。また、各サブパネル３１Ａ，３１Ｂの内部側には、各本体側コネクタ１２Ａ，１２Ｂ，１２Ｃ，１２Ｄに接続される素子やリード線などを保護するシールドケース３２がそれぞれ固定され、これらのシールドケース３２の固定によって本体側コネクタ１２Ａ，１２Ｂ，１２Ｃ，１２Ｄの接続部の外部磁界などの影響を遮蔽される。
前記間隔板１４の表面には各サブパネル３１Ａ，３１Ｂを余裕をもって受け入れる受入れ窓１５が形成され、前述した各サブパネル３１Ａ，３１Ｂは、間隔板１４と同じ平面内において自由に移動できるように、これらの受入れ窓１５内にそれぞれ位置される。
なお、前記間隔板１４の内面側には受入れ窓１５からのサブパネル３１Ａ，３１Ｂの抜け出しを阻止する裏板１６が位置され、各サブパネル３１Ａ，３１Ｂに固定されたシールドケース３２は同裏板１６に形成される余裕のある貫通窓１６ａを通って本体シャーシ１７上に引き出してある。
【００１３】
また、図２に示すように、本体シャーシ１７の表面に形成される”Ｕ”字状の切開溝１８により弾性爪１９が切り起こされ、これらの弾性爪１９の先端部１９ａがシールドケース３２の底面に弾力的に接触され、これらの弾性爪１９によりサブパネル３１Ａ，３１Ｂ及びシールドケース３２が本体シャーシ１７にアースされる。
したがって、測定器本体１０に対する測定台２０の接続時に各サブパネル３１Ａ，３１Ｂが正面パネル１１と平行な面内で移動しても、弾性爪１９の弾性的な追従によりシールドケース３２と弾性爪１９との接触状態が保たれ、シールドケース３２が本体シャーシ１７に確実にアースされ、シールドケース３２の内部が外部磁界などから遮蔽される。
【００１４】
図示実施例による電子測定器の筐体間接続構造は、以上のような構造であるから、本体側コネクタ１２Ａ，１２Ｂ，１２Ｃ，１２Ｄや台側コネクタ２１Ａ，２１Ｂ，２１Ｃ，２１Ｄの間に配列ピッチ誤差や位置精度誤差があっても、測定器本体１０に設けられる本体側コネクタ１２Ａ，１２Ｂ，１２Ｃ，１２Ｄに対して測定台２０の台側コネクタ２１Ａ，２１Ｂ，２１Ｃ，２１Ｄを確実に接続できる。
即ち、本体側コネクタ１２Ａ，１２Ｂ，１２Ｃ，１２Ｄを取り付けられたサブパネル３１Ａ，３１Ｂは、正面パネル１１と平行な平面内で自由に位置調整できるように保持されているので、仮に本体側コネクタ１２Ａ，１２Ｂ，１２Ｃ，１２Ｄや台側コネクタ２１Ａ，２１Ｂ，２１Ｃ，２１Ｄの間に配列ピッチ誤差や位置精度誤差があっても、台側コネクタ２１Ａ，２１Ｂ，２１Ｃ，２１Ｄを本体側コネクタ１２Ａ，１２Ｂ，１２Ｃ，１２Ｄに接続する際に、本体側コネクタ１２Ａ，１２Ｂ，１２Ｃ，１２Ｄの位置即ちサブパネル３１Ａ，３１Ｂの位置が自動的に修正される。
【００１５】
よって、図示の筐体間接続構造では、測定器本体１０に設ける本体側コネクタ１２Ａ，１２Ｂ，１２Ｃ，１２Ｄに測定台２０の台側コネクタ２１Ａ，２１Ｂ，２１Ｃ，２１Ｄを直接に接続する構造の利点である、外部磁界などの悪影響のない測定が可能となり、本体側コネクタ１２Ａ，１２Ｂ，１２Ｃ，１２Ｄや台側コネクタ２１Ａ，２１Ｂ，２１Ｃ，２１Ｄの間に厳密な配列ピッチや位置精度が要求されない実用性の高い構造を提供できる。
【００１６】
なお、前記実施例の説明及び従来の説明においては、磁気特性測定器の場合を例示したけれども、本発明は他の目的の電子測定器にも適用できるのは改めて指摘するまでもない。
【００１７】
【発明の効果】
以上の説明から明らかなように、本発明によれば、測定器本体と測定台の接続部を外部磁界などから完全に遮蔽できるばかりでなく、複数の本体側コネクタとこれらに対応する台側コネクタの間に多少の位置誤差や配列ピッチ誤差があっても、確実にこれらを接続できる実用性の高い構造を得ることができる。
【図面の簡単な説明】
【図１】本発明による電子測定器の筐体間接続構造の図２の１−１線に沿う断面図である。
【図２】同筐体間接続構造の垂直断面図である。
【図３】一部を切り欠いて示す従来の電子測定器の筐体間接続構造の側面図である。
【図４】同筐体間接続構造の平面図である。
【符号の説明】
１０          測定器本体
１１          正面パネル
１２Ａから１２Ｄ    台側コネクタ
１３          コネクタ窓
１７          本体シャーシ
１８          切開溝
１９          弾性爪
２０          測定台
２１Ａから２１Ｄ    台側コネクタ
３１Ａ，３１Ｂ      サブパネル
３２          シールドケース
【図１】
0003978038.tif 000002
【図２】
0003978038.tif 000003
【図３】
0003978038.tif 000004
【図４】
0003978038.tif 000005